(57)【要約】【課題】  いたずらや盗難等の不正な目的による取外しを防止するためのねじ具を用いた固定装置に関し、各種の異なる特殊な形態を備えるねじ具用着脱工具係合部を有するねじ具を併用できるとともに、正当な目的があれば必要に応じてこれを取り外せる固定装置を提供する。【解決手段】  固定装置１は、第１のねじ具２と、第２のねじ具３と、蓋体４とからなる。第１のねじ具２は、第２のねじ具３よりも大型のねじ具であり、第２のねじ具係合部２ａと、ねじ部２ｂとが設けられる。第２のねじ具３は、第１のねじ具２よりも小型のねじ具であり、第２のねじ具専用着脱工具係合部３ａと、ねじ部３ｂとが設けられる。蓋体４は、天面４ｅを有する筒状の部材であり、第１のねじ具の頭部収容空間４ａが設けられ、天面４ｅには第２のねじ具挿通孔４ｂが穿設されており、その外周面はねじ具用着脱工具係合防止面４ｃになっている。【選択図】      図２
0003212132.tif 000002
【実用新案登録請求の範囲】
【請求項１】
不正な目的による取外しを防止するためのねじ具を用いた固定装置であって、第１のねじ具と、第２のねじ具と、蓋体とから構成されており、該第１のねじ具は、螺着対象物に螺着するための部材であって、該第２のねじ具よりも大型のねじ具であり、該第１のねじ具の頭部には該第２のねじ具を係合するための第２のねじ具係合部が設けられているとともに、該第１のねじ具の外周面には該螺着対象物に螺着するためのねじ部が設けられており、該第２のねじ具は、該第１のねじ具の頭部に該蓋体を結合させるための部材であって、該第１のねじ具よりも小型のねじ具であり、該第２のねじ具の頭部には専ら該第２のねじ具の着脱に用いる第２のねじ具専用着脱工具を係合するための第２のねじ具専用着脱工具係合部が設けられているとともに、該第２のねじ具の外周面には該第２のねじ具係合部に螺着するためのねじ部が設けられており、該蓋体は、該第１のねじ具の頭部にねじ具用着脱工具を係合させるのを防止するための部材であって、該蓋体の内部には該第１のねじ具の頭部を収容するための第１のねじ具の頭部収容空間が設けられており、該第２のねじ具を用いて該第１のねじ具に該蓋体を結合した際に該第１のねじ具の頭部上面と該第２のねじ具の頭部下面との間に挟み込まれる天面を有する筒状の部材であって、該天面には該第１のねじ具の頭部収容空間に連接して該第２のねじ具を挿通するための第２のねじ具挿通孔が穿設されており、該蓋体の外周面はねじ具用着脱工具係合防止面になっていて、該ねじ具用着脱工具係合防止面は該蓋体の軸線方向に沿って窄んだ形状になっているとともに平滑面になっていることを特徴とする固定装置。
【請求項２】
請求項１に記載した固定装置であって、前記第２のねじ具の呼び長さは、前記第２のねじ具係合部の深さと前記蓋体における天面の厚さの和よりも長く形成されていることを特徴とする固定装置。
【請求項３】
請求項１又は２に記載した固定装置であって、前記蓋体における第２のねじ具挿通孔において前記第２のねじ具を挿入する側には該第２のねじ具の頭部を収容するための第２のねじ具の頭部収容空間が設けられていることを特徴とする固定装置。
【請求項４】
請求項１から３までの何れかに記載した固定装置であって、前記第１のねじ具の頭部収容空間の内周面が、該第１のねじ具の頭部収容空間内に前記第１のねじ具の頭部を収容した際に、該第１のねじ具の頭部外周面を完全に覆うようにして形成されていることを特徴とする固定装置。
【考案の詳細な説明】
【技術分野】
【０００１】
本考案は、いたずらや盗難等の不正な目的による取外しを防止するためのねじ具を用いた固定装置に関し、特に第１のねじ具と、該第１のねじ具の頭部を覆う蓋体と、該第１のねじ具に該蓋体を結合させるための第２のねじ具とからなる固定装置に関する。
【背景技術】
【０００２】
従来、いたずらや盗難等の不正な目的によるねじ具の取外しを防止すべく、いわゆるいたずら防止用ねじ具が提供されているところであり、例えば自動車のナンバープレートの取付け等に用いられている。一般に提供されているねじ具は、その頭部に設けられているねじ回し等のねじ具用着脱工具を係合するための工具孔等のねじ具用着脱工具係合部が、プラス記号形状の溝やマイナス記号形状の溝であるものが多い。これに対して、上記のようないたずら防止用ねじ具には、その頭部に花びら状の凹部やおにぎり状の凹部といった各種の特殊な形態を備えるねじ具用着脱工具係合部を設けたものがある。
【０００３】
上記のようないたずら防止用ねじ具を用いることにより、一般に提供されている形態のねじ具用着脱工具を係合させて、これを回動させることができなくなるため、不正な目的の下でこれを容易に取り外すことができなくなり、好適である。
【０００４】
また、被取付部材を特定固定具によって取付部材に対して固定するようにした盗難防止用固定装置であって、前記特定固定具が、外周にねじ部が形成された軸状部材と、該軸状部材に螺合されるナット部材とを有し、前記軸状部材が、前記被取付部材に設けられた取付孔を貫通して前記取付部材に形成されたねじ孔に螺合されており、前記軸状部材に螺合された前記ナット部材が、前記被取付部材のうち前記取付孔の周縁部を押圧して該被取付部材を前記取付部材に対して固定しており、前記ナット部材の外周面が、前記軸状部材の軸線方向に沿ういずれの断面においても前記取付孔から離れるにしたがって徐々に径方向内方側に位置するように形成されると共に、回転工具用の係合部や回転のための外力を作用させるための凹凸部を有しないようにされていることを特徴とする盗難防止用固定装置（例えば、下記の特許文献１を参照。）、又は、ねじ部品による締結箇所で、該ねじ部品の端部の中心にピン挿入用の下穴を予め形成しておいて、該締結箇所の取外しを防止するねじ用取外し防止材であって、該締結箇所を覆う回転体の外形形状を有し、該回転体形状の中心軸上に貫通孔が形成され、締結工具から該締結箇所へのトルク伝達部に形成される締付工具との嵌合部を、ねじの中心と該貫通孔とを合わた状態で覆うカバー部材と、該カバー部材の貫通孔を貫通して該ねじ部品の下穴に圧入され、該カバー部材を該締結箇所を覆うように該ねじ部品に装着するピンとを含むことを特徴とするねじ用取外し防止材（例えば、下記の特許文献２を参照。）、あるいは、ボルト及びナットの座面を予め約３０度面取りした状態の物に被せて、上方からこれを打ち込むことでボルト及びナットの座面にそのスカート部が食い込んで取り外しができなくなるボルト及びナットの取り外し防止カバー（例えば、下記の特許文献３を参照。）等が提案されている。
【０００５】
上記のようなねじ具の頭部を覆うカバー部材等を用いることにより、スパナ等のねじ具用着脱工具をねじ具の頭部に係合させて、これを回動させることができなくなるため、不正な目的の下でねじ具を容易に取り外すことができなくなり、好適である。
【先行技術文献】
【特許文献】
【０００６】
【特許文献１】登録実用新案第３１８１１２３号公報
【特許文献２】特開２００１−３３００２０号公報
【特許文献３】意匠登録第１２８９１０７号公報
【考案の概要】
【考案が解決しようとする課題】
【０００７】
しかしながら、上記の従来技術に係るいたずら防止用ねじ具には、次のような問題があった。即ち、上記のような特殊な形態を備えるねじ具用着脱工具係合部を形成するには手間と費用とが必要になるところ、ねじ具はその用途やその取り付ける場所等に応じて様々な太さや長さ等を有するものが必要とされるため、種々の太さや長さ等を備えるねじ具に対して個別的にそのようなねじ具用着脱工具係合部を形成するには多大な手間と費用が必要とされるのである。また、そのようなねじ具用着脱工具係合部に係合させることができるねじ具用着脱工具を個別的に提供するためにも、多大な手間と費用が必要とされるのである。
【０００８】
更に、例えば自動車の登録番号の変更に伴ってナンバープレートを交換する場合のように、正当な目的の下で該いたずら防止用ねじ具を取り外す必要がある場合もある。そのため、特殊な形態を備えるねじ具用着脱工具係合部に係合させることができる該いたずら防止用ねじ具専用の着脱工具も提供する必要がある。そうすると、該いたずら防止用ねじ具専用の着脱工具が広く提供されるに至ってしまうと、不正な目的による該いたずら防止用ねじ具の取外しを十分に防止することができなくなってしまうのである。そこで、該いたずら防止用ねじ具の取外しを十分に防止するためには、新たな特殊な形態を備えるねじ具用着脱工具係合部を設けたいたずら防止用ねじ具を提供しなければならず、また該ねじ具用着脱工具係合部に係合させることができる新たな形態を備えるねじ具用着脱工具も提供しなければならない。
【０００９】
そこで、本考案の解決しようとする第１の課題は、不正な目的による取外しを防止するためのねじ具を用いた固定装置であって、第１のねじ具と、該第１のねじ具の頭部を覆う蓋体と、該第１のねじ具に該蓋体を結合させるための第２のねじ具とからなる固定装置に関し、各種の異なる特殊な形態を備えるねじ具用着脱工具係合部を有するねじ具を併用することができる固定装置を提供することにある。
【００１０】
また、上記の従来技術に係るねじ具の頭部を覆うカバー部材には、次のような問題があった。即ち、前記カバー部材にねじ具用着脱工具を係合させるための凹部を設けたり（例えば、上記の特許文献１を参照。）、前記ピンの引き抜きに大きな力が必要になったりして（例えば、上記の特許文献２を参照。）、ねじ具の頭部に取り付けた該カバー部材を取り外すことが困難であるため、不正な目的によるねじ具の取外しを防止するためには好適であるが、正当な目的により該ねじ具を取り外す必要が出てきた場合でも、これを取り外すことが困難になってしまうのである。
【００１１】
そこで、本考案の解決しようとする第２の課題は、不正な目的による取外しを防止するためのねじ具を用いた固定装置であって、第１のねじ具と、該第１のねじ具の頭部を覆う蓋体と、該第１のねじ具に該蓋体を結合させるための第２のねじ具とからなる固定装置に関し、正当な目的があれば必要に応じてこれを取り外すことができる固定装置を提供することにある。
【課題を解決するための手段】
【００１２】
本考案は、上記の各課題を解決するために提案されたものであり、以下の構成を有するものである。以下では、本考案の構成を理解するのを補助するため、本願に添付した図面に表示した番号及び符号をあわせて記載する。
【００１３】
請求項１に係る固定装置（１）は、不正な目的による取外しを防止するためのねじ具を用いた固定装置であって、第１のねじ具（２）と、第２のねじ具（３）と、蓋体（４）とから構成されている。第１のねじ具（２）は、螺着対象物（Ａ）に螺着するための部材であって、第２のねじ具（３）よりも大型のねじ具であり、第１のねじ具（２）の頭部には第２のねじ具（３）を係合するための第２のねじ具係合部（２ａ）が設けられているとともに、第１のねじ具（２）の外周面には螺着対象物（Ａ）に螺着するためのねじ部（２ｂ）が設けられている。第２のねじ具（３）は、第１のねじ具（２）の頭部に蓋体（４）を結合させるための部材であって、第１のねじ具（２）よりも小型のねじ具であり、第２のねじ具（３）の頭部には専ら第２のねじ具（３）の着脱に用いる第２のねじ具専用着脱工具（Ｂ）を係合するための第２のねじ具専用着脱工具係合部（３ａ）が設けられているとともに、第２のねじ具（３）の外周面には第２のねじ具係合部（２ａ）に螺着するためのねじ部（３ｂ）が設けられている。蓋体（４）は、第１のねじ具（２）の頭部にねじ具用着脱工具を係合させるのを防止するための部材であって、その内部には第１のねじ具（２）の頭部を収容するための第１のねじ具の頭部収容空間（４ａ）が設けられており、第２のねじ具（３）を用いて第１のねじ具（２）に蓋体（４）を結合した際に第１のねじ具（２）の頭部上面と第２のねじ具（３）の頭部下面との間に挟み込まれる天面（４ｅ）を有する筒状の部材であって、天面（４ｅ）には第１のねじ具の頭部収容空間（４ａ）に連接して第２のねじ具（３）を挿通するための第２のねじ具挿通孔（４ｂ）が穿設されており、蓋体（４）の外周面はねじ具用着脱工具係合防止面（４ｃ）になっていて、ねじ具用着脱工具係合防止面（４ｃ）は蓋体（４）の軸線方向に沿って窄んだ形状になっているとともに平滑面になっている。
【００１４】
請求項２に係る固定装置（１）は、請求項１に記載した固定装置であって、第２のねじ具（３）の呼び長さは、第２のねじ具係合部（２ａ）の深さと蓋体（４）における天面（４ｅ）の厚さの和よりも長く形成されている。
【００１５】
請求項３に係る固定装置（１）は、請求項１又は２に記載した固定装置であって、蓋体（４）における第２のねじ具挿通孔（４ｂ）において第２のねじ具（３）を挿入する側には第２のねじ具（３）の頭部を収容するための第２のねじ具の頭部収容空間（４ｄ）が設けられている。
【００１６】
請求項４に係る固定装置（１）は、請求項１から３までの何れかに記載した固定装置であって、第１のねじ具の頭部収容空間（４ａ）の内周面が、第１のねじ具の頭部収容空間（４ａ）内に第１のねじ具（２）の頭部を収容した際に、第１のねじ具（２）の頭部外周面を完全に覆うようにして形成されている。
【考案の効果】
【００１７】
本考案に係る固定装置（１）は、上記の通りの構成であるから、以下のような効果を奏することができる。
【００１８】
まず、請求項１に記載した固定装置（１）は、第１のねじ具（２）の頭部に蓋体（４）を被せ、第２のねじ具（３）を用いてこれを第１のねじ具（２）の頭部に結合させることによって、スパナ等の一般に提供されているねじ具用着脱工具を第１のねじ具（２）の頭部に係合させて、これを回動させることができなくなるため、第１のねじ具（１）を取り外すことができなくなる。また、蓋体（４）は、その外周面がねじ具用着脱工具係合防止面（４ｃ）になっているため、その外周面にねじ具用着脱工具を係合させることができない。
【００１９】
特に、請求項２に記載した固定装置（１）によれば、第２のねじ具（３）の呼び長さが第２のねじ具係合部（２ａ）の深さと蓋体（４）における天面（４ｅ）厚さの和よりも長く形成されているため、第２のねじ具（３）を用いて第１のねじ具（２）に蓋体（４）を結合した際に、天面（４ｅ）が第１のねじ具（２）の頭部上面と第２のねじ具（３）の頭部下面との間に空間的な余裕をもって挟み込まれることになる。そうすると、仮に、ねじ具用着脱工具係合防止面（４ｃ）にねじ具用着脱工具を係合させ、蓋体（４）を回動させることができたとしても、蓋体（４）が第１のねじ具（１）の頭部の外周面上で空回りするだけであって、第１のねじ具（１）の頭部を回動させることはできず、これを取り外すことができない。
【００２０】
また、第２のねじ具（３）の頭部には専ら第２のねじ具（３）の着脱に用いる第２のねじ具専用着脱工具（Ｂ）を係合するための第２のねじ具専用着脱工具係合部（３ａ）が設けられているため、一般に提供されているねじ具用着脱工具では第２のねじ具専用着脱工具係合部（３ａ）に係合させることができず、第２のねじ具（３）を回動させて、これを取り外すことはできない。
【００２１】
そして、第２のねじ具（３）としては、その頭部に特殊な形態を備えるねじ具用着脱工具係合部を設けた各種のねじ具を用いることができる。そうすると、第１のねじ具（２）は、その頭部に各種の特殊な形態を備えるねじ具用着脱工具係合部を設けることなく、第２のねじ具（３）を係合するための第２のねじ具係合部（２ａ）さえ設けておけば、その用途に応じて様々な太さや長さ等を有するねじ具を用いることができる。また、第１のねじ具（２）がいかなる太さや長さ等を有していたとしても、特定の太さや長さ等を有する第２のねじ具（３）を利用するならば、１種類の第２のねじ具専用着脱工具（Ｂ）のみでその着脱を行うことができる。そうすると、種々の太さや長さ等を備えるねじ具に当該ねじ具専用着脱工具係合部を形成するための多大な手間と費用、及び当該ねじ具専用着脱工具係合部に係合させることができるねじ具用着脱工具を個別的に提供するための多大な手間と費用を節約することができるのである。
【００２２】
仮に、特定の第２のねじ具専用着脱工具係合部（３ａ）に適応する第２のねじ具専用着脱工具（Ｂ）が広く提供されるに至ってしまったとしても、異なる特殊な形態に係る第２のねじ具専用着脱工具係合部（３ａ）が設けられているねじ具を第２のねじ具（３）として用いることによって、不正な目的による固定装置（１）の取外しを十分に防止することができるのである。
【００２３】
よって、固定装置（１）は、不正な目的による取外しを防止するためのねじ具を用いた固定装置であって、第１のねじ具と、該第１のねじ具の頭部を覆う蓋体と、該第１のねじ具に該蓋体を結合させるための第２のねじ具とからなる固定装置に関し、各種の異なる特殊な形態を備えるねじ具用着脱工具係合部を有するねじ具を併用することができる固定装置を提供するという本考案の解決しようとする第１の課題を解決することができる。
【００２４】
また、第２のねじ具専用着脱工具（Ｂ）を用いることによって、第２のねじ具（３）を第１のねじ具（２）の頭部から取り外し、蓋体（４）を第１のねじ具（２）の頭部から取り外せば、第１のねじ具（２）を螺着対象物（Ａ）から取り外すことができる。即ち、固定装置（１）は、不正な目的による取外しを防止するために好適であるとともに、正当な目的によりこれを取り外す必要が出てきた場合には、これを容易に取り外すことができるのである。
【００２５】
よって、不正な目的による取外しを防止するためのねじ具を用いた固定装置であって、第１のねじ具と、該第１のねじ具の頭部を覆う蓋体と、該第１のねじ具に該蓋体を結合させるための第２のねじ具とからなる固定装置に関し、正当な目的があれば必要に応じてこれを取り外すことができる固定装置を提供するという本考案の解決しようとする第２の課題を解決することができる。
【００２６】
ところで、第１のねじ具（２）に第２のねじ具（３）を螺着した際に、第２のねじ具（３）の頭部が蓋体（４）の上面から突出していると、該頭部にペンチ等のねじ具用着脱工具を係合されてしまい、第２のねじ具（３）を取り外されてしまうおそれがある。また、第２のねじ具（３）の頭部に人や物が引っ掛かってしまうおそれがあり、また美観性を損なうおそれもある。
【００２７】
これに対して、請求項３に記載した固定装置（１）は、蓋体（４）に第２のねじ具の頭部収容空間（４ｄ）が設けられているため、第１のねじ具（２）に第２のねじ具（３）を螺着した際に、第２のねじ具（３）の頭部が蓋体（４）の上面から突出するのを防止することができる。そうすると、該頭部にねじ具用着脱工具を係合されてしまい、第２のねじ具（３）を取り外されてしまうおそれを低減することができる。それと同時に、第２のねじ具（３）の頭部に人や物が引っ掛かってしまうおそれを低減することができ、また美観性を向上させることもでき、好適である。
【００２８】
更に、ねじ具には、その頭部が平面視六角形状の物や下縁部にテーパーを設けた物といったように、その頭部に種々の形態を備えるものがある。そうすると、第１のねじ具（２）における頭部の形態によっては、第１のねじ具（２）の頭部外周面が蓋体（４）の外部に露出してしまい、第１のねじ具（２）の頭部と蓋体（４）との間に生じる間隙にねじ具用着脱工具を係合されてしまう余地が生じる。
【００２９】
そこで、請求項４に係る固定装置（１）は、第１のねじ具の頭部収容空間（４ａ）の内周面が、第１のねじ具の頭部収容空間（４ａ）内に第１のねじ具（２）の頭部を収容した際に、第１のねじ具（２）の頭部外周面を完全に覆うようにして形成されているため、第１のねじ具（２）の頭部外周面が蓋体（４）の外部に露出することがなくなり、第１のねじ具（２）の頭部と蓋体（４）との間に生じる間隙にねじ具用着脱工具を係合されてしまう余地をなくしているのである。
【図面の簡単な説明】
【００３０】
【図１】本考案の一実施形態に係る固定装置の使用状態を説明する図である。
【図２】図１の一部断面図である。
【図３】図１の平面図である。
【図４】本考案の一実施形態に係る固定装置の分解状態を説明する図である。
【図５】図４の一部断面図である。
【図６】図４の平面図である。
【図７】本考案の一実施形態に係る固定装置における蓋体を示した正面図である。
【図８】図７の平面図である。
【図９】図７の底面図である。
【図１０】図７の断面図である。
【図１１】本考案の別の実施形態に係る蓋体を使用する状態を説明する図である。
【図１２】本考案の別の実施形態に係る第１のねじ具を使用する状態を説明する図である。
【考案を実施するための形態】
【００３１】
以下に、本考案の一実施形態に係る固定装置の構造について添付図面に基づいて説明する。
【００３２】
固定装置（１）は、図１ないし５に図示するように、不正な目的による取外しを防止するためのねじ具を用いた固定装置であって、第１のねじ具（２）と、第２のねじ具（３）と、蓋体（４）とから構成されている。
【００３３】
第１のねじ具（２）は、図１ないし６に図示するように、例えば、自動車のナンバープレートの取付けでいえば、自動車とナンバープレートといった螺着対象物（Ａ）に螺着するための部材であって、第２のねじ具（３）よりも大型のねじ具である。第１のねじ具（２）は、その頭部に第２のねじ具（３）を係合するための第２のねじ具係合部（２ａ）が設けられており、その内周面にはねじが切られている。また、第１のねじ具（２）は、その外周面に螺着対象物（Ａ）に螺着するためのねじ部（２ｂ）が設けられている。
【００３４】
第２のねじ具（３）は、図１ないし６に図示するように、第１のねじ具（２）の頭部に蓋体（４）を結合させるための部材であって、第１のねじ具（２）よりも小型のねじ具である。第１のねじ具（２）は、その呼び長さを第２のねじ具係合部（２ａ）の深さと蓋体（４）における天面（４ｅ）厚さの和よりも長く形成するのが好適である。第２のねじ具（３）は、その頭部に専ら第２のねじ具（３）の着脱に用いる第２のねじ具専用着脱工具（Ｂ）を係合するための第２のねじ具専用着脱工具係合部（３ａ）が設けられている。図では、第２のねじ具専用着脱工具係合部（３ａ）は、おにぎり状の凹部であるが、各種の特殊な形態を備えるねじ具用着脱工具係合部であれば、例えば花びら状の凹部等でもよく、特に図示する形態に限定されるものではない。また、第２のねじ具（３）は、その外周面に第２のねじ具係合部（２ａ）に螺着するためのねじ部（３ｂ）が設けられている。
【００３５】
このように、第２のねじ具（３）としては、その頭部に各種の特殊な形態を備えるねじ具用着脱工具係合部を設けたねじ具を用いることができる。そうすると、第１のねじ具（２）は、その頭部に各種の特殊な形態を備えるねじ具用着脱工具係合部を設けることなく、第２のねじ具（３）を係合するための第２のねじ具係合部（２ａ）さえ設けておけば、その用途に応じて様々な太さや長さ等を有するねじ具を用いることができる。また、第１のねじ具（２）がいかなる太さや長さ等を有していたとしても、特定の太さや長さ等を有する第２のねじ具（３）を利用するならば、１種類の第２のねじ具専用着脱工具（Ｂ）のみで対応することができる。そうすると、種々の太さや長さ等を備えるねじ具に当該ねじ具専用着脱工具係合部を形成するための多大な手間と費用、及び当該ねじ具専用着脱工具係合部に係合させることができるねじ具用着脱工具を個別的に提供するための多大な手間と費用を節約することができるのである。
【００３６】
仮に、特定の第２のねじ具専用着脱工具係合部（３ａ）に適応する第２のねじ具専用着脱工具（Ｂ）が広く提供されるに至ってしまったとしても、異なる特殊な形態に係る第２のねじ具専用着脱工具係合部（３ａ）が設けられているねじ具を第２のねじ具（３）として用いることによって、不正な目的による固定装置（１）の取外しを十分に防止することができる。
【００３７】
蓋体（４）は、図１ないし１０に図示するように、第１のねじ具（２）の頭部にねじ具用着脱工具を係合させるのを防止するための部材であって、その内部に第１のねじ具（２）の頭部を収容するための第１のねじ具の頭部収容空間（４ａ）が設けられており、第２のねじ具（３）を用いて第１のねじ具（２）に蓋体（４）を結合した際に第１のねじ具（２）の頭部上面と第２のねじ具（３）の頭部下面との間に挟み込まれる天面（４ｅ）を有する筒状の部材である。蓋体（４）は、第１のねじ具の頭部収容空間（４ａ）の内周面を、第１のねじ具の頭部収容空間（４ａ）内に第１のねじ具（２）の頭部を収容した際に、第１のねじ具（２）の頭部外周面を完全に覆うようにして形成するのが好適である。例えば、第１のねじ具（２）として、その頭部に鍔部を有しており、該鍔部の上面が傾斜面になっているねじ具を用いる場合には、第１のねじ具の頭部収容空間（４ａ）の内周面の下端部を蓋体（４）の外周面方向に向かって拡がっていくように形成する。
【００３８】
蓋体（４）の天面（４ｅ）には、第１のねじ具の頭部収容空間（４ａ）に連接して、第２のねじ具（３）の端部を挿通するための第２のねじ具挿通孔（４ｂ）が穿設されている。また、第２のねじ具挿通孔（４ｂ）において、第２のねじ具（３）を挿入する側には第２のねじ具（３）の頭部を収容するための第２のねじ具の頭部収容空間（４ｄ）が設けられている。具体的には、第２のねじ具挿通孔（４ｂ）における第２のねじ具（３）の挿入側の内周面を蓋体（４）の外周面に向って拡げることによって、第２のねじ具の頭部収容空間（４ｄ）を形成している。
【００３９】
蓋体（４）は、その外周面がねじ具用着脱工具係合防止面（４ｃ）になっており、ねじ具用着脱工具係合防止面（４ｃ）は蓋体（４）の下部から上部へと軸線方向に沿って窄んだ形状になっているとともに平滑面になっている。
【００４０】
以上が、本考案の一実施形態に係る固定装置の構造についての説明である。以下に、本考案の一実施形態に係る固定装置の使用態様について添付図面に基づいて説明する。
【００４１】
図１ないし３に図示するように、使用者は、まず、ねじ部（２ｂ）を螺着させて、螺着対象物（Ａ）に第１のねじ具（２）を取り付ける。次に、使用者は、第１のねじ具の頭部収容空間（４ａ）内に第１のねじ具（２）の頭部を収容するようにして、第１のねじ具（２）の頭部に蓋体（４）を被せる。そして、使用者は、第２のねじ具挿通孔（４ｂ）に第２のねじ具（３）を挿通し、第２のねじ具係合部（２ａ）に第２のねじ具（３）を係合させ、第１のねじ具（２）に蓋体（４）を結合させる。
【００４２】
そうすると、スパナ等の一般に提供されているねじ具用着脱工具を第１のねじ具（２）の頭部に係合させて、これを回動させることができなくなるため、第１のねじ具（１）を取り外すことができなくなる。また、蓋体（４）は、その外周面がねじ具用着脱工具係合防止面（４ｃ）になっているため、その外周面にねじ具用着脱工具を係合させることもできない。
【００４３】
また、第２のねじ具（３）の呼び長さを第２のねじ具係合部（２ａ）の深さと蓋体（４）における天面（４ｅ）の厚さの和よりも長く形成しておけば、第２のねじ具（３）を用いて第１のねじ具（２）に蓋体（４）を結合した際に、天面（４ｅ）が第１のねじ具（２）の頭部上面と第２のねじ具（３）の頭部下面との間に空間的な余裕をもって挟み込まれることになる。よって、仮に、ねじ具用着脱工具係合防止面（４ｃ）にねじ具用着脱工具を係合させ、蓋体（４）を回動させることができたとしても、蓋体（４）が第１のねじ具（１）の頭部の外周面上で空回りするだけであって、第１のねじ具（１）の頭部を回動させることはできず、これを取り外すことができない。
【００４４】
また、第２のねじ具（３）の頭部には第２のねじ具専用着脱工具係合部（３ａ）が設けられているため、一般に提供されているねじ具用着脱工具では第２のねじ具専用着脱工具係合部（３ａ）に係合させることができず、第２のねじ具（３）を回動させて、これを取り外すことはできない。
【００４５】
更に、蓋体（４）には第２のねじ具の頭部収容空間（４ｄ）が設けられているため、第１のねじ具（２）に第２のねじ具（３）を螺着させた際に、第２のねじ具（３）の頭部が蓋体（４）の上面から突出するのを防止することができる。そうすると、固定装置（１）は、第２のねじ具（３）の頭部にねじ具用着脱工具を係合されてしまい、第２のねじ具（３）を取り外されてしまうおそれを低減することができる。それと同時に、該頭部に人や物が引っ掛かってしまうおそれを低減することができるとともに、美観性を向上させることができ、好適である。
【００４６】
また、蓋体（４）は、第１のねじ具の頭部収容空間（４ａ）の内周面が、第１のねじ具の頭部収容空間（４ａ）内に第１のねじ具（２）の頭部を収容した際に、第１のねじ具（２）の頭部外周面を完全に覆うようにして形成されている。
【００４７】
図１１に図示するように、例えば、第１のねじ具（２）として、その頭部に鍔部を有しており、該鍔部の上面が傾斜面になっているねじ具を用いる場合に、蓋体（４）の底面が平面状に形成されていると、蓋体（４）の底面が該鍔部の上面に引っ掛かってしまい、第１のねじ具（２）の頭部外周面が蓋体（４）の外部に露出して、ねじ具用着脱工具を係合されてしまう余地が生じる。そこで、このような場合には、第１のねじ具の頭部収容空間（４ａ）の内周面の下端部が蓋体（４）の外周面方向に向かって拡がっていくように形成された蓋体（４）を用いる。そうすると、第１のねじ具（２）の頭部外周面が蓋体（４）の外部に露出することがなくなり、第１のねじ具（２）の頭部と蓋体（４）との間に生じる間隙にねじ具用着脱工具を係合されてしまう余地がなくなるのである。
【００４８】
尚、図１２に図示するように、その頭部が平面視六角形状のねじ具を第１のねじ具（２）として座金（Ｃ）と併せて用いる場合であっても、上記のような態様の第１のねじ具の頭部収容空間（４ａ）によって第１のねじ具（２）の頭部外周面を完全に覆うことができる。よって、上記のような態様の第１のねじ具の頭部収容空間（４ａ）を備える蓋体（４）は汎用性に富んだものになっている。
【００４９】
そして、図４ないし６に図示するように、使用者は、第２のねじ具専用着脱工具（Ｂ）を用いることによって、第２のねじ具（３）を第１のねじ具（２）の頭部から取り外し、蓋体（４）を第１のねじ具（２）の頭部から取り外せば、第１のねじ具（２）を螺着対象物（Ａ）から取り外すことができる。よって、固定装置（１）は、不正な目的による取外しを防止するために好適であるとともに、正当な目的によりこれを取り外す必要が出てきた場合には、これを容易に取り外すことができるのである。
【符号の説明】
【００５０】
１  固定装置
２  第１のねじ具
２ａ  第２のねじ具係合部
２ｂ  ねじ部
３  第２のねじ具
３ａ  第２のねじ具専用着脱工具係合部
３ｂ  ねじ部
４  蓋体
４ａ  第１のねじ具の頭部収容空間
４ｂ  第２のねじ具挿通孔
４ｃ  ねじ具用着脱工具係合防止面
４ｄ  第２のねじ具の頭部収容空間
４ｅ  天面
Ａ  螺着対象物
Ｂ  第２のねじ具専用着脱工具
Ｃ  座金
【図１】
0003212132.tif 000003
【図２】
0003212132.tif 000004
【図３】
0003212132.tif 000005
【図４】
0003212132.tif 000006
【図５】
0003212132.tif 000007
【図６】
0003212132.tif 000008
【図７】
0003212132.tif 000009
【図８】
0003212132.tif 000010
【図９】
0003212132.tif 000011
【図１０】
0003212132.tif 000012
【図１１】
0003212132.tif 000013
【図１２】
0003212132.tif 000014